(57)【要約】【課題】交換可能なランプユニットが収容される光照射器において、ランプ交換作業者に、外部から接続されたケーブルの取り外す工程を意識させる構造の光照射器を提供すること。【解決手段】ランプユニットを筐体から引き出すことで当該ランプユニットを交換可能とする光照射器において、前記ランプユニットは、第１の給電線を備えるランプと、該ランプの保持部材と、該第１の給電線を取り付ける第１の接続端子と、該第１の接続端子を固定する固定部材とを備え、前記筐体は、該ランプユニットを挿入、排出する開口と、該ランプユニットを載せて水平方向に摺動させるレールと、該第１の接続端子に接続される第２の接続端子が取り付けられた第２の給電線を備え、該第１の接続端子と、該第２の接続端子は、前記ランプユニットの排出を遮る位置で接続されること。【選択図】図１
2011249284.tif 000002
【特許請求の範囲】
【請求項１】
ランプユニットを筐体から引き出すことで当該ランプユニットを交換可能とする光照射器において、
前記ランプユニットは、第１の給電線を備えるランプと、該ランプの保持部材と、該第１の給電線を取り付ける第１の接続端子と、
該第１の接続端子を固定する固定部材とを備え、
前記筐体は、該ランプユニットを挿入、排出する開口と、該ランプユニットを載せて水平方向に摺動させるレールと、該第１の接続端子に接続される第２の接続端子が取り付けられた第２の給電線を備え、
該第１の接続端子と、該第２の接続端子は、前記ランプユニットの排出を遮る位置で接続されることを特徴とする光照射器。
【請求項２】
前記固定部材には、前記第１の接続端子の排出側を覆う遮蔽部材が設けられていることを特徴とする請求項１に記載の光照射器。
【請求項３】
前記筐体は、その頂部が作業者の目線よりも高所に配置されていることを特徴とする請求項１または２に記載の光照射器。
【発明の詳細な説明】
【技術分野】
【０００１】
本発明は、交換可能なランプユニットを光照射器の本体から引き出して交換することができる光照射器に関する。特にランプユニットを引き出す際に、光照射器の外部からランプに対して電力を供給するための配線に負荷がかかるのを防ぐ構造に関する。
【背景技術】
【０００２】
従来から、紫外線を含む光を放射するランプを内蔵した光照射器から紫外線を含む光を照射し、被処理物（以下ワークとも言う）に塗布された、保護膜、接着剤、塗料、インキ、レジスト等を硬化、乾燥、または溶融、軟化させることが、各分野で幅広く行われている。
【０００３】
紫外線を放射する光源ランプとしては、長尺な棒状の放電ランプが用いられている。一般に、ランプは使用時間経過とともに照度が低下するので、処理プロセスに応じてユーザが設定した照度以下になると交換される。
ランプの交換を容易にするために、ランプを保持部材とともにユニット化し、このランプユニットを光照射器本体から引き出す構造にすることが行われている。
特許文献１には、棒状のランプを保持する保持部材が、ランプハウスから、棒状ランプの長手方向に沿って引き出し可能な光照射器が記載されている。
上記構成のものは、取り出したランプユニットにおいてランプを交換し、再び本体部に取り付けるようにしたものである。ランプの交換は任意の場所で行え、迅速に交換作業を行うことができる。
【０００４】
図５に特許文献１に記載された光照射器５０の断面図を示す。同図においては、ランプ５２に電力を供給するケーブル５１が、ランプハウス５３の端子台５４に接続されている。端子台５４には、外部のランプ点灯電源装置５５からのケーブル５６も接続されている。端子台５４を介してランプ５２に電力が供給される。
したがって、ランプハウス５３からランプユニットを取り外す際には、まず端子台５４からケーブル５６を取り外さなければならない。
【先行技術文献】
【特許文献】
【０００５】
【特許文献１】特開２００６−３５４３６
【発明の概要】
【発明が解決しようとする課題】
【０００６】
上記のごとく、従来はランプハウス５３の外部にあるランプ点灯電源装置５５からのケーブル５６が、端子台５４を介してランプユニットのケーブル５１と接続されていた。しかし、ケーブル５１、５６の接続の取り外しが容易なように、外部からのケーブル５６とランプユニットのケーブル５１を端子台ではなくコネクタで接続することがある。
図６は、本願発明の比較例としての光照射器のランプ交換時の動作を示す図である。同図において、ランプ５２への配線ケーブル５１に取り付けたコネクタ６１は、ランプユニットの固定板６２に固定されている。このコネクタ６１に外部からの配線ケーブル６３に取り付けたコネクタ６４を差し込む。このようにしてランプ５２にはランプ点灯電源装置５５からの電力が供給される。
一方、ランプユニットをランプハウス５３から取り外す際には、コネクタ６４をコネクタ６１から外しておかなければならない。
【０００７】
しかし、ランプ交換作業者はランプを取り外す際に、コネクタ６４を外すことを忘れることがある。その理由の一つとして、作業者がランプユニットを引き出す際に、外さなければならないコネクタが、固定板の裏側にあって視覚によって検知しにくいためと考えられる。
そのような場合、コネクタ６４を抜かないまま無理にランプユニットを引き出そうとすると、外部からの配線ケーブルが引っ張られ、ケーブル６３やコネクタ６４に力がかかる。
この段階で作業者はコネクタが外れていないことに気が付いてコネクタを外すことになるが、このようなことが繰り返されると、コネクタ部において、コネクタの内部のピンがコネクタから抜けるピン抜けや、ピンからケーブル６３の芯線が抜ける芯線抜けが発生し、ランプの不点灯などの不具合の原因となる。
【０００８】
以上により、本発明は交換可能なランプユニットが収容される光照射器において、ランプ交換作業者に、外部から接続されたケーブルの取り外す工程を意識させる構造の光照射器を提供することを目的とする。
【課題を解決するための手段】
【０００９】
上記課題を解決するため本発明は、ランプユニットを筐体から引き出すことで当該ランプユニットを交換可能とする光照射器において、前記ランプユニットは、第１の給電線を備えるランプと、該ランプの保持部材と、該第１の給電線を取り付ける第１の接続端子と、該第１の接続端子を固定する固定部材とを備え、前記筐体は、該ランプユニットを挿入、排出する開口と、該ランプユニットを載せて水平方向に摺動させるレールと、該第１の接続端子に接続される第２の接続端子が取り付けられた第２の給電線を備え、該第１の接続端子と、該第２の接続端子は、前記ランプユニットの排出を遮る位置で接続されることを特徴とする。
また、本発明は、前記固定部材には、前記第１の接続端子の排出側を覆う遮蔽部材が設けられていることを特徴とする。
また、本発明は、前記筐体は、その頂部が作業者の目線よりも高所に配置されていることを特徴とする。
【発明の効果】
【００１０】
本発明によれば、交換可能なランプユニットが収容される光照射器において、ランプユニット交換時に取り外すべき接続端子が、作業者が必然的に視覚によって検知する位置に設けることで、この接続端子を取り外す工程を意識させる。
これにより、作業者はランプユニットを引き出す前に接続端子を外すので給電線であるケーブルが引っ張られることがなく、ピン抜けや芯線抜けといった不具合を回避することができる。
また、本発明によれば、作業者はまず第一に取り外すべき給電装置側の給電線の接続端子を認識し、こちらを先に取り外すように促すことができる。
また、本発明によれば、光照射器の筐体が高所に配置されていても、取り外すべき接続端子が見えるので、これを検知して取り外すことを忘れない。
【図面の簡単な説明】
【００１１】
【図１】本発明の光照射器を用いた装置の長手方向断面図である。
【図２】本発明の光照射器のランプ交換時の動作を示す図である。
【図３】本発明の光照射器を引き出し方向から見た側の正面図である。
【図４】本発明の光照射器からランプユニットを取り外した状態を示す図である。
【図５】比較例としての光照射器のランプ交換時の動作を示す図である。
【図６】従来例にかかる光照射器を用いた装置の長手方向断面図である。
【発明を実施するための形態】
【００１２】
以下に、図面を参照しながら本発明について説明する。
図１は本発明にかかる光照射器を、一例として液晶ディスプレイパネルの貼り合せ装置に用いた場合の全体概略図である。
光照射器１は、箱状の筐体７の内部に光源であるランプ２を内蔵し、紙面下方に向けて光を照射する装置である。
ランプ２の直下に位置する筐体７の底板２３には、ランプ２の光を外部に放射できるように開口した、光照射窓２４が設けられている。
光照射器１のランプ２の直下には、マスク保持手段４によって保持されたマスク５が配置される。
マスク５の直下には、ワークＷである液晶ディスプレイ用のガラス基板がワークステージ６上に載置されている。ワークステージ６は、ワークステージ移動機構８により適宜ワークＷとランプ２との距離やワークＷの水平方向の位置を変化させることができる。
【００１３】
このような液晶ディスプレイパネルの貼り合せ装置は、２枚のガラス基板間に塗布された接着剤を硬化するために、マスク５を介して枠状の紫外光を照射して硬化するものである。
典型的には図示のように下方に載置されたワークＷに対して上方より光を照射する装置であり、近年のガラス基板の大型化に伴って、光照射器１の位置は作業者の平均的な身長よりも高い位置に設けられることが多い。特に筐体７の頂部が作業者の目線よりも高い場合は筐体７の内部の様子が視認しにくい。
【００１４】
光照射器１の筐体７の内部には、ランプユニット１０が内蔵されている。ランプユニット１０は、ランプ２を容易に交換するために、ランプ２とその保持部材や第１の給電線１２Ａ、１２Ｂ等がひとまとまりに構成された組立体である。
ランプユニット１０は、主に紙面右側のランプ部と、このランプ部をランプ部への給電装置等と接続する接続部の２つの部分に分かれている。
ランプ部では、ランプ２が、長手方向に伸びる保持部材であるベースプレート１１およびそれに垂下して取り付けられたランプ固定具１３Ａ、１３Ｂによって、両端の口金１４Ａ、１４Ｂ部分を保持されて固定されている。なお、保持部材はこのような態様に限られず、ランプを保持して位置を固定できる構成であればよい。
【００１５】
ランプ部よりも紙面左側に位置する接続部では、端子同士を接続する端子接続部材１９と、これを固定するための固定板である固定部材１５が設けられている。
端子接続部材１９は、両面のそれぞれに異なる接続端子が接続される接続口が設けられている。
ランプ２の両端には第１の給電線１２Ａ、１２Ｂが接続されている。この第１の給電線１２Ａ、１２Ｂが接続部まで延びるとともに、その末端に位置する第１の接続端子１６が、端子接続部材１９の一方の接続口にまとめられて接続されている。例えばこの図においては、接続端子１６は固定部材１５の上面側に接続されている。
なお、本実施例は端子接続部材１９を用いる場合について説明するが、端子接続部材を介さずに、直接固定部材１５に固定して、他の接続端子と接続可能な接続端子も用いることができる。そのような接続端子を第１の接続端子１６として使用し、端子接続部材１９を用いず、第１の接続端子１６を直接固定部材１５に固定しても良い。
【００１６】
ランプユニット１０は、筐体７の内側両側面に設けたレール２１にそのベースプレート１１を乗せて滑らせることより、水平方向に摺動して移動可能であり、筐体７の紙面左側にある開口から挿入したり排出したりされる。このランプユニット１０が排出される方向を排出方向とする。
なお、レール２１はこれに限られるものではなく、ベースプレート１１を上下から挟み込んでもよいし、車輪などを設けて滑走させてもよい。
【００１７】
筐体７の外部には、ランプ２に電力を供給したり信号を送信したりする給電装置９が配置されている。
この給電装置９に接続された第２の給電線１７が、筐体７の所定の位置に設けられた導入孔２８を通して筐体７の内部に導入されている。この第２の給電線１７の末端に位置する接続端子１８は、端子接続部材１９を介して、ランプ２の第１の給電線１２Ａ、１２Ｂの接続端子１６と接続される。
例えばこの図においては、第２の接続端子１８は固定部材１５の下面側に接続されている。これにより、ランプユニット１０を筐体７内に収納し、第２の接続端子１８を端子接続部材１９に接続すると、第２の接続端子１８の第２の給電線１７が、ランプユニット１０の排出方向を遮るように垂れ下がる。
【００１８】
以上が、ランプユニット１０が筐体７内部に収容されているときの状態についての説明である。続いて、ランプユニット１０を筐体７より取り外すときの動作について説明する。
【００１９】
図２は、ランプユニット１０を筐体７より取り外して交換する動作について説明する図である。
筐体７の開口２６にはこの筐体７を閉じる蓋板２５が配置されている。蓋板２５を取り外すと、筐体７の開口２６から、ランプユニット１０の端部が見えるようになっている。
しかし、その手前（排出方向側）には、上記したように、第１の接続端子１６に接続された第２の接続端子１８と、それから伸びる第２の給電線１７とが開口近辺の筐体内の空間を縦に横切り、ランプユニット１０の排出を遮るように存在する。
そのため、作業者２９は、ランプユニット１０を取り出すためには、まず、第２の接続端子１８を端子接続部材１９から取り外さなければならない。
次に、筐体７の内側の内壁には、ランプ２の長手方向両側にレール状のレール２１が設けられており、作業者２９がランプユニット１０を掴んで手前側に引き出すと、ランプユニット１０がレール上を滑走して筐体７外に排出される。
【００２０】
なおこのとき、第２の接続端子１８を端子接続部材１９から取り外さなくとも、多少であればランプユニット１０を引き出すことができない、というわけではない。
しかし、作業者２９が蓋板２５を外したときに、ランプユニット１０の端部が見え、その端部に給電装置９の第２の給電線１７の接続端子１８が接続されているので、作業者２９がこれを視覚によって検知することができる。  
さらには、上記のように第２の給電線１７がランプユニット１０の左側に位置するため、排出方向に対してこれを遮ることとなり、必ず接続端子１８の存在を認識することとなり、作業者２９は接続端子１８を（端子接続部材１９に）接続したままの状態で、ランプユニット１０を無理に引き出すことがない。
そして、作業者２９が第２の給電線１７の接続端子１８を、端子接続部材１９より取り外すので、この第２の給電線１７がランプユニット１０の引き出し時に引っ張られてピン抜け等することが無い。
【００２１】
図３に光照射器の引き出し手前側端部の正面図を示す。
ランプ側の第１の給電線１２Ａ、１２Ｂは、その両端ともがランプユニット１０自体に固定されているため、ランプユニット１０を摺動させても線が引っ張られるということはなく、ランプユニット１０を完全に引き出した後に接続を取り外す。
そこで、作業者２９が外すべき端子を迷うことが無いように、この図のように固定部材１５にはランプ２側の第１の給電線の第１の接続端子１６を覆い隠す遮蔽部材である遮蔽板２７を設けることができる。
この遮蔽板２７と固定部材１５によってランプ側の第１の給電線の第１の接続端子１６が隠されているために、作業者２９はまず第一に給電装置側の第２の給電線１７の第２の接続端子１８を認識するので、こちらを先に取り外すように促すことができる。
これにより、より確実に作業者が接続端子を外し忘れることが無いようになる。
【００２２】
図４は、光照射器１の筐体よりランプユニットを排出した状態を示す図である。
ランプユニット１０はこのように単体で完全に排出して、他のランプユニットと容易に交換可能である。
交換する新しいランプユニットは、引き出したときと同様に筐体９に挿入して、レール２１により内部に収容し、第２の接続端子１８を接続して交換作業が終了する。
【００２３】
以上により、本発明は交換可能なランプユニットが収容される光照射器において、ランプユニット交換時に取り外すべき接続端子が、作業者が必然的に視覚によって検知する位置に設けることで、この接続端子を取り外す工程を意識させる。
これにより、作業者はランプユニットを引き出す前に接続端子を外すので給電線であるケーブルが引っ張られることがなく、ピン抜けや芯線抜けといった不具合を回避することができる。
【符号の説明】
【００２４】
１            光照射器
２            ランプ
４            マスク保持手段
５            マスク
６            ワークステージ
７            筐体
８            ワークステージ移動機構
９            給電装置
１０            ランプユニット
１１            ベースプレート
１２Ａ            第１の給電線
１２Ｂ            第１の給電線
１３Ａ            ランプ固定具
１３Ｂ            ランプ固定具
１４Ａ            口金
１４Ｂ            口金
１５            固定部材
１６            第１の接続端子
１７            第２の給電線
１８            第２の接続端子
１９            端子接続部材
２１            レール
２２            頂部
２３            底板
２４            光照射窓
２５            蓋板
２６            開口
２７            遮蔽板
２８            導入孔
２９            作業者
５０            光照射器
５１            ケーブル
５２            ランプ
５３            ランプハウス
５４            端子台
５５            ランプ点灯電源装置
５６            ケーブル
６１            コネクタ
６２            固定板
６３            ケーブル
６４            コネクタ
Ｗ            ワーク
【図１】
2011249284.tif 000003
【図２】
2011249284.tif 000004
【図３】
2011249284.tif 000005
【図４】
2011249284.tif 000006
【図５】
2011249284.tif 000007
【図６】
2011249284.tif 000008